(57)【特許請求の範囲】
【請求項１】
生体の対象部位に接触させる接触面を有し、前記接触面に接触する前記対象部位に冷刺激を与える冷却部と、
前記接触面を、前記接触面の水平方向、垂直方向ともに０．０１〜５．０Ｇの振動強度でかつ1分間に１００〜１００００回の振動数で振動させることで前記対象部位に振動刺激を与える振動部と、
前記冷却部による前記対象部位の冷却温度を設定するとともに、前記振動部を制御する制御装置と、を備え、
前記制御装置は、前記冷却部により前記対象部位の温度を５〜１０℃に保ち、かつ前記振動部により前記接触面を垂直方向または水平方向に振動させることで、前記対象部位に冷刺激と振動刺激を同時に与えることを特徴とする、
皮下脂肪増加装置。
【請求項２】
お椀型に形成して乳房に接触させる皮下脂肪増加装置を、複数個を用意し、
前記複数の前記皮下脂肪増加装置のそれぞれは、
生体の対象部位に接触させる接触面を有し、前記接触面に接触する前記対象部位に冷刺激を与える冷却部と、
前記接触面を、前記接触面の水平方向、垂直方向ともに０．０１〜５．０Ｇの振動強度でかつ1分間に１００〜１００００回の振動数で振動させることで前記対象部位に振動刺激を与える振動部と、
前記冷却部による前記対象部位の冷却温度を設定するとともに、前記振動部を制御する制御装置と、を備え、
前記制御装置は、前記冷却部により前記対象部位の温度を５〜１０℃に保ち、かつ前記振動部により前記接触面を垂直方向または水平方向に振動させることで、前記対象部位に冷刺激と振動刺激を同時に与えるものであり、
前記制御装置は、前記複数の皮下脂肪増加装置のうち、乳房の上部、下部、内側及び／または外側の任意の位置に配置した前記皮下脂肪増加装置のみに、冷刺激と振動刺激を同時に選択的に与えることを可能とした、胸部用下着。
【発明の詳細な説明】
【技術分野】
【０００１】
本発明は、生物の皮下脂肪厚をコントロールする技術に関わり、特に、外部刺激を用いて生物の皮下脂肪厚をコントロールする装置及び方法に関する。
【背景技術】
【０００２】
現代は、エステ等が普及し始め、脂肪を直接マッサージすることにより脂肪燃焼を促したり、特殊な運動を行ってバストアップを図ったりするなど、様々な方法で体型変化が可能な時代である。
【０００３】
特に近年、脂肪を超低温に冷却したり超音波やレーザーを脂肪に照射したりすることにより、部分的に脂肪細胞膜を破壊し体内の脂肪を溶かす方法についての研究開発が進んでいる。これらの方法によれば、細胞膜から漏れ出た脂肪溶液は血液やリンパに乗って肝臓で分解処理され体外へ排出される。
【先行技術文献】
【特許文献】
【０００４】
【特許文献１】国際公開第２００３／０７８５９６号
【発明の概要】
【発明が解決しようとする課題】
【０００５】
確かに上記従来の方法は、直接脂肪に作用するので痩身効果が高く、効率的な体型変化も可能である。
しかしながら、超低温状態やレーザーを使用するためクリニックでの施術が必要であり、通院の手間がかかるものであった。また、レーザー照射による火傷や内出血、超低温による凍傷等のリスクもあった。
このため、細胞組織を破壊することなく、自宅で手軽に安全な方法で脂肪を移動できたり、バストアップできたりする手法の確立が望まれている。
【０００６】
本出願に係る発明は、上記のような課題を解決するためになされたものであり、その目的とするところは、火傷や内出血をすることなく皮下脂肪厚をコントロールできる装置及び方法を提供することにある。
【課題を解決するための手段】
【０００７】
上記目的を達成するため、本出願に係る第１の発明は、  生体の対象部位に接触させる接触面を有し、この接触面に接触する対象部位に冷刺激を与える冷却部と、この接触面を、接触面の水平方向、垂直方向ともに０．０１〜５．０Ｇの振動強度でかつ1分間に１００〜１００００回の振動数で振動させることで対象部位に振動刺激を与える振動部と、冷却部による対象部位の冷却温度を設定するとともに、振動部を制御する制御装置と、を備える。
そして、制御装置は、冷却部により対象部位の温度を５〜１０℃に保ち、かつ振動部により接触面を垂直方向または水平方向に振動させることで、対象部位に冷刺激と振動刺激を同時に与えることを特徴としている。
【０００９】
本出願に係る第２の発明は、お椀型に形成して乳房に接触させる皮下脂肪増加装置を、複数個を用意した胸部用下着であり、この複数の皮下脂肪増加装置のそれぞれは、生体の対象部位に接触させる接触面を有し、接触面に接触する対象部位に冷刺激を与える冷却部と、接触面を、接触面の水平方向、垂直方向ともに０．０１〜５．０Ｇの振動強度でかつ1分間に１００〜１００００回の振動数で振動させることで対象部位に振動刺激を与える振動部と、冷却部による対象部位の冷却温度を設定するとともに、振動部を制御する制御装置と、を備える。
そして、制御装置は、冷却部により対象部位の温度を５〜１０℃に保ち、かつ振動部により接触面を垂直方向または水平方向に振動させることで、対象部位に冷刺激と振動刺激を同時に与えるものであり、複数の皮下脂肪増加装置のうち、乳房の上部、下部、内側及び／または外側の任意の位置に配置した皮下脂肪増加装置のみに、冷刺激と振動刺激を同時に選択的に与えることを可能としている。
【発明の効果】
【００１１】
本発明によれば、生物身体の所望の部位に対して、部分的に皮下脂肪厚を増加させることができる。
また、本発明によれば、自宅で手軽に安全な方法でバストアップすることができる。
【図面の簡単な説明】
【００１２】
【図１】本発明の皮下脂肪増加装置の概念図である。
【図２】本発明に関する実験の様子を示す概念図である。
【図３】本発明に関する実験のプロトコルを示す概略図である。
【図４】皮下脂肪厚・皮下脂肪率の計測点を示す概念図である。
【図５】実験開始前の状態を１００％とし、終了時における皮下脂肪厚増減率を示すグラフである。
【図６】実験開始前の状態を１００％とし、終了時での周囲長増減率を示すグラフである。
【図７】実施例２の胸部用下着を内側から見た状態を示す概念図である。
【図８】実施例２の胸部用下着を装着した状態を外側から見た概念図である。
【図９】牛に皮下脂肪増加装置を装着した状態を示す概念図である。
【発明を実施するための形態】
【００１３】
以下、本技術を適用した具体的な実施の形態について詳細に説明する。
【００１４】
図１に示すように、本願の皮下脂肪増加装置（以下、装置１と称する）は、冷却部２と振動部３を備える。振動部３は冷却部２に固着もしくは着脱自在に設置され、振動部３の振動により冷却部２を振動させることができる。
【００１５】
冷却部２は、図示しない電源を用いて電気的に冷却できる冷却装置により構成される。ここで電源は、家庭用コンセントなどの外部電源でも良いし、持ち運び可能な電池などでも良い。冷却装置は制御装置４に接続され、その温度が一定の範囲内に収まるように設定できる。制御装置４により冷却部２の温度は０〜１０℃の範囲内の所定の温度に設定される。
【００１６】
また冷却部２は、装置１から取り外しできても良く、取り外した後に冷蔵庫で冷却可能な保冷剤のようなものであっても良い。その場合は、人の体温である約３６℃に接触させた状態で少なくとも１０分の間、０〜１０℃を維持できる保冷性を有する必要がある。
【００１７】
振動部３は内部に小型モータを備え、モータの回転軸の中心からズレた位置に重りを備えた小型バイブレータを使用することができる。振動部３も制御装置４に接続され、振動強度や振動数が制御される。振動部３は、図示しない電源に制御装置４を介して接続しており、モータの回転によって振動する。電源は、家庭用コンセントなどの外部電源でも良いし、持ち運び可能な電池などでも良い。
【００１８】
振動強度は、冷却部２の接触面２ａに対して水平方向、垂直方向ともに０．１〜１．０Ｇであることが望ましいが、０．０１〜５．０Ｇであれば本発明の効果を得ることができる。また、振動数は１０００〜３０００回／分であることが望ましいが、１００〜１００００回／分であれば本発明の効果を得ることができる。
【００１９】
図１においては、冷却部２と振動部３に１つの制御装置４を接続して制御しているが、冷却部２と振動部３それぞれに別個独立した制御装置を接続して制御しても良い。
【００２０】
図１に示す構成においては、冷却部２の上に対象となる生体５を配置し、冷却部２の上面を接触面２ａとして生体５の表面に接触させる。したがって、冷却部２の接触面２ａが生体５の表面形状に倣って接触できるよう、冷却部２の少なくとも上面は可堯性を有することが望ましい。
【００２１】
図１では冷却部２が生体表面に接触し、冷却部２を振動部３が振動させる構成をとっているが、冷却部２と振動部３は上下反対に配置されても良い。すなわち、振動部３が生体表面に接触し、冷却部２が振動部３を冷却することにより生体表面が冷却される構造でも良い。
【実施例１】
【００２２】
外部刺激により生物の身体における脂肪の合成、分解のコントロールが可能であるかを検討するため、装置１により冷刺激・振動刺激を人の大腿後面に与え、皮下脂肪と周囲長の増減を調べた。
【００２３】
被験者は健常成人男女１５名（平均年齢２６．５±８．２９歳）とし、事前に実験の十分な説明および同意を得たうえで協力してもらった。
実験は冷刺激と振動刺激を与えた第１群、温刺激と振動刺激を与えた第２群、比較対象としてのコントロール群の第３群に分けて実験を行った。なお、各群の被験者は５名（男性３名，女性２名）とし、各被験者は、指定された群の実験以外は行わない。
【００２４】
図２は実験の様子を示す概念図である。被験者６を椅子７に座らせ、実験の対象となる太腿後面の中央に装置１を配置し、太腿の外周を拘束ベルト８で巻いて装置１を太腿後面に固定した。拘束ベルト８は帯状の布の一端に面ファスナーを設けたものでよい。
【００２５】
刺激として、第１群は、冷却部２の表面温度を５℃に設定し、被験者６の大腿後面の中央に接触させて、冷刺激と振動刺激を同時に与えた。振動部３の振動強度は、水平方向を０．７Ｇ、垂直方向を０．４１Ｇに設定した。また、振動部３の振動数は２４００回／分に設定した。
【００２６】
第２群は、本体温度が４０℃の湯たんぽを、被験者６の大腿後面の中央に接触させ、さらに湯たんぽに第１群と同様の振動部を配置した。そして、太腿の外周を拘束ベルト８で巻いて、湯たんぽと振動部を太腿後面に固定し、温刺激と振動刺激を同時に与えた。振動部の振動強度及び振動数の設定は、第１群と同様である。
【００２７】
図３に実験プロトコルを示す。刺激前に被験者の大腿部の皮下脂肪厚［ｍｍ］、皮下脂肪率［％］、周囲長［ｃｍ］、体組成、血圧・脈拍を計測した後１０分間刺激を行い、その後再度同様の計測を行った。計測は週１回行い、計６週間行った。刺激は１回１０分間、計測日を含め週３〜５回刺激を与えた。図４に示すように皮下脂肪厚・皮下脂肪率の計測点は、大腿後面中央にあたる中点Ｂを基準とし、その上下５ｃｍを含んだＡ，Ｂ，Ｃの３点で計測を行った。
【００２８】
実験開始前の状態を１００％とし、終了時における皮下脂肪厚増減率を図５に示す。図５は、Ａ，Ｂ，Ｃの各計測点ごとに、左から第１群，第２群，第３群の順に皮下脂肪厚増減率を示したグラフである。第１群では、Ａ，Ｂ，Ｃの全計測点で増加を示した。実験開始前と比較するためｔ検定を行った結果、有意差が認められた（ｐ＜０．０５）。
第２群ではＡ点で減少を示し、Ｂ点、Ｃ点で若干の増加を示したが、有意差は認められなかった。
【００２９】
次に、実験開始前の状態を１００％とし、終了時での周囲長増減率を図６に示す。図６は、左から第１群，第２群，第３群の順に周囲長増減率示したグラフである。第１群、第２群で増加、第３群で減少を示した。こちらも、対応のあるｔ検定を行った結果、第１群において皮下脂肪厚、皮下脂肪率ともに有意差が認められた（ｐ＜０．０５）。また、第３群を対照群としたＤｕｎｎｅｔｔ検定を行った結果、第３群に比べ第１群が有意に増加しているという結果が得られた（ｐ＜０．０１）。
【００３０】
図５の結果から、冷刺激と振動刺激は皮下脂肪を有意に増加させ、温刺激と振動刺激は皮下脂肪の増減への影響は少ないと示された。また、図６の結果から、第１群は第３群被験者に比べ有意に周囲長を増加することができ、冷刺激と振動刺激は外見上の変化を与える程の皮下脂肪増加も期待できる。
【００３１】
実施例１によれば、生物身体の所望の部位に対して、部分的に皮下脂肪厚を増加させることができる。また、装置１の構成が簡易であるため、クリニック等に行くことなく自宅において、手軽に安全な方法で皮下脂肪厚を増加させることができる。
【実施例２】
【００３２】
次に、本発明の応用例を実施例２として開示する。図７は胸部用下着を内側から見た状態を示す概念図である。胸部用下着９は、左側の乳房を収容する左カップ１０Ｌと右側の乳房を収容する右カップ１０Ｒを有する。
【００３３】
左カップ１０Ｌは、上内ポケット１１Ｌと下内ポケット１２Ｌを有する。上内ポケット１１Ｌには装置１ａ，１ｂを収納し、下内ポケット１２Ｌには装置１ｃ，１ｄを収納する。装置１ａ〜１ｄは実施例１の装置１と同様な構成を有する。
【００３４】
右カップ１０Ｒも同様に上内ポケット１１Ｒと下内ポケット１２Ｌを有する。そして、上内ポケット１１Ｒには装置１ａ，１ｂを収納し、下内ポケット１２Ｒには装置１ｃ，１ｄを収納する。なお、装置１ａ〜１ｄは、乳房の形にあわせてお椀状に形成するのが良い。
【００３５】
本実施例２によれば、装置１ａ〜１ｄで冷刺激と振動刺激を同時に与えることにより、乳房の皮下脂肪を増加させ、豊満な乳房を得ることができる。乳房の９割は脂肪組織から成るため、本発明による皮下脂肪の増加なら、自然な乳房の肥大をもたらすことができる。
【００３６】
図７では、左右の乳房の全体を覆うように複数の装置１ａ〜１ｄを配置したが、お椀型の１つの装置で、乳房の全体を覆うように構成しても良い。また、乳房の上部のみをバストアップしたい場合には、上内ポケット１１Ｌ，１１Ｒのみに装置１ａ，１ｂを収納すれば良く、下内ポケット１２Ｌ，１２Ｒには装置１ｃ，１ｄを収納する必要はない。逆に、乳房の下部のみをバストアップしたい場合には、下内ポケット１２Ｌ，１２Ｒのみに装置１ｃ，１ｄを収納すれば良く、上内ポケット１１Ｌ，１１Ｒには装置１ａ，１ｂを収納する必要はない。
【００３７】
また、乳房の内側のみをバストアップしたい場合には、上内ポケット１１Ｌ，１１Ｒには装置１ｂを収納すれば良く、下内ポケット１２Ｌ，１２Ｒには装置１ｃのみを収納すれば良い。逆に、乳房の外側のみをバストアップしたい場合には、装置１ａ，１ｄのみを収納すれば良い。もちろん、右側または左側のポケットのみに装置１ａ〜１ｄを適宜選択して収納することもできる。
【００３８】
図８は、本実施例の胸部用下着９を装着した状態を外側から見た概念図である。本実施例では装置１ａ〜１ｄを胸部用下着９の内側に収納しているため、外側からは見えず、下着のデザインを崩すこともない。
【００３９】
また、本実施例では、胸部用下着９の内側に収納ポケットを設けたが、収納ポケットは下着の外側に設けても良い。
【００４０】
本発明は、お椀型のフレキシブルなシリコン素材等のカップからなり、乳房に吸着させるように装着する胸部用下着にも適用することができる。その場合、カップとしては保冷性を有する素材を使用し、使用前に冷蔵庫などで冷却して装着し、外側から着脱可能な振動部３を設置する。
【００４１】
昨今、脇の下を切開し、そこからシリコンバッグ等を挿入し、豊満な乳房を形成する豊胸手術が行われている。しかし、体内に人工的な異物を挿入するため、石灰化が起こったり、シリコンバッグが破損して炎症を起こったりする危険性がある。これに対して、本発明は、手術のためにクリニックに行く必要もなく、家庭で、安全かつ手軽にバストアップをすることができる。
【産業上の利用可能性】
【００４２】
本発明は、牛や豚等の家畜に適用することもできる。図９は牛１４に装置１を装着した状態を示す概念図である。図９の例では、家畜である牛１４が自由に動き回れるようにするため、実施例１の拘束ベルト８の替わりに拘束着１３を牛１４に着させている。
【００４３】
図９では、牛１４の腹部に装置１を配置して、拘束着１３によって固定している。装置１は脂肪を増やしたい部分に配置すれば良く、腹部に限られるものではない。
【００４４】
本発明を家畜に適用することにより、十分な脂肪を蓄えた家畜を飼育することができる。
【符号の説明】
【００４５】
１…皮下脂肪増加装置、２…冷却部、２ａ…接触面、３…振動部、４…制御装置、５…生体、６…被験者、７…椅子、８…拘束ベルト、９…胸部用下着、１０Ｌ…左カップ、１０Ｒ…右カップ、１１Ｌ，１１Ｒ…上内ポケット、１２Ｌ，１２Ｒ…下内ポケット、１３…拘束着、１４…牛
【図１】
0006687934.tif 000002
【図２】
0006687934.tif 000003
【図３】
0006687934.tif 000004
【図４】
0006687934.tif 000005
【図５】
0006687934.tif 000006
【図６】
0006687934.tif 000007
【図７】
0006687934.tif 000008
【図８】
0006687934.tif 000009
【図９】
0006687934.tif 000010